(57)【要約】  リサイクル器具は、非有機リサイクル可能材料および有機材料を処理するためのものである。リサイクル器具は、非有機リサイクル可能材料を受容、処理、および保存するように構成された非有機処理アセンブリを含む。有機処理アセンブリは、非有機処理アセンブリから離間する。有機処理アセンブリは、有機材料を受容、処理、保存するように構成される。ハウジングアセンブリは、非有機処理アセンブリおよび有機処理アセンブリを収容するように構成される。
2018511471.tif 000002
【特許請求の範囲】
【請求項１】
非有機リサイクル可能材料および有機材料を処理するためのリサイクル器具であって、
前記非有機リサイクル可能材料を受容、処理、および保存するように構成された、非有機処理アセンブリと、
前記非有機処理アセンブリから離間した、前記有機材料を受容、処理、および保存するように構成された、有機処理アセンブリと、
前記非有機処理アセンブリおよび前記有機処理アセンブリを収容するように構成されたハウジングアセンブリと、を備える、リサイクル器具。
【請求項２】
非有機リサイクル可能材料および有機材料を処理するためのリサイクル器具であって、
前記非有機リサイクル可能材料を受容するように構成された投入セクションと、
前記投入セクションと連通し、前記投入セクションから受容した前記非有機リサイクル可能材料を受容および細断し、細断リサイクル可能材料を生成するように構成された、細断機セクションと、
前記細断機セクションと連通する排出セクションであって、前記細断機セクションから前記細断リサイクル可能材料を受容するようになっている、排出セクションと、
前記有機材料を受容するように構成された有機材料投入モジュールと、
前記有機材料投入モジュールと連通する専用の有機材料排出モジュールであって、前記有機材料投入モジュールから前記有機材料を受容するようになっている、専用の有機材料排出モジュールと、
前記投入セクションと、前記細断機セクションと、前記排出セクションと、前記有機材料投入モジュールと、前記専用の有機材料排出モジュールと、を収容するように構成された、ハウジングアセンブリと、を備える、リサイクル器具。
【請求項３】
各々が所定のリサイクル可能材料を受容するように構成された、専用の投入モジュールを有する投入セクションと、
前記投入セクションのそれぞれの専用の投入モジュールと連通する、専用の細断機モジュールを有する細断機セクションであって、前記専用の細断機モジュールの各々が、前記それぞれの専用の投入モジュールから受容した前記所定のリサイクル可能材料を受容および細断し、所定の細断リサイクル可能材料を生成するようになっている、細断機セクションと、
前記細断機セクションのそれぞれの専用の細断機モジュールと連通する、専用の排出モジュールを有する排出セクションであって、前記専用の排出モジュールの各々が、前記それぞれの専用の細断機モジュールから前記所定の細断リサイクル可能材料を受容するようになっている、排出セクションと、
前記投入セクションと、前記細断機セクションと、前記排出セクションと、を収容するように構成された、ハウジングアセンブリと、を備える、リサイクル器具。
【請求項４】
前記専用の投入モジュールが、
有機材料投入モジュールと、
前記有機材料投入モジュールから離間した、紙材料投入モジュールと、
前記有機材料投入モジュールから離間した、金属材料投入モジュールと、
前記有機材料投入モジュールから離間した、プラスチック材料投入モジュールと、
ガラス材料投入モジュール前記有機材料投入モジュールと、を含む、請求項３に記載のリサイクル器具。
【請求項５】
前記専用の細断機モジュールが、
前記紙材料投入モジュールのための専用の紙材料細断機モジュールと、
前記金属材料投入モジュールのための専用の金属材料細断機モジュールと、
前記プラスチック材料投入モジュールのための専用のプラスチック材料細断機モジュールと、
前記ガラス材料投入モジュールのための専用のガラス材料細断機モジュールと、を含む、請求項３に記載のリサイクル器具。
【請求項６】
前記専用の排出モジュールが、
前記有機材料投入モジュールのための専用の有機材料排出モジュールと、
前記紙材料投入モジュールのための専用の紙材料排出モジュールと、
前記金属材料投入モジュールのための専用の金属材料排出モジュールと、
前記プラスチック材料投入モジュールのための専用のプラスチック材料排出モジュールと、
前記ガラス材料投入モジュールのための専用のガラス材料排出モジュールと、を含む、請求項３に記載のリサイクル器具。
【請求項７】
前記投入セクションが、
前記有機材料投入モジュールを前記専用の有機材料排出モジュールに接続する、専用の有機材料シュートモジュールと、
前記紙材料投入モジュールを前記専用の紙材料排出モジュールに接続する、専用の紙材料シュートモジュールと、
前記金属材料投入モジュールを前記専用の金属材料排出モジュールに接続する、専用の金属材料シュートモジュールと、
前記プラスチック材料投入モジュールを前記専用のプラスチック材料排出モジュールに接続する、専用のプラスチック材料シュートモジュールと、
前記ガラス材料投入モジュールを前記専用のガラス材料排出モジュールに接続する、専用のガラス材料シュートモジュールと、を含む、専用のシュートモジュールを含む、請求項３に記載のリサイクル器具。
【請求項８】
前記投入セクションが、
前記有機材料投入モジュールのための専用の有機材料電源ボタンと、
前記紙材料投入モジュールのための専用の紙材料電源ボタンと、
前記金属材料投入モジュールのための専用の金属材料電源ボタンと、
前記プラスチック材料投入モジュールのための専用のプラスチック材料電源ボタンと、
前記ガラス材料投入モジュールのための専用のガラス材料電源ボタンと、を含む、請求項３に記載のリサイクル器具。
【請求項９】
モーターアセンブリを制御するように構成された制御回路と、
前記制御回路に操作可能に接続され、前記モーターアセンブリの制御された操作を補助するように構成された、ユーザ制御パネルと、をさらに備える、請求項３に記載のリサイクル器具。
【請求項１０】
前記細断機セクションが、
モーターアセンブリと、
電源コードと、
モーター駆動軸アセンブリと、
ギヤボックスアセンブリと、
駆動回転可能軸と、
軸受支持体と、
ハウジングアセンブリと、
細断機歯と、を含み、
前記ハウジングアセンブリが、前記モーターアセンブリを収容するように構成され、
前記モーターアセンブリが、前記ハウジングアセンブリの内部セクションに固定して装着され、
前記モーターアセンブリが、前記ハウジングアセンブリ内で垂直配向に位置付けられ、
前記電源コードが、前記モーターアセンブリから延伸し、
前記電源コードが、前記モーターアセンブリに電力を供給して、前記モーターアセンブリを駆動させるように構成され、
前記モーター駆動軸アセンブリが前記モーターアセンブリから延伸し、
前記モーター駆動軸アセンブリが前記ギヤボックスアセンブリに操作可能に連結し、
前記ギヤボックスアセンブリが前記ハウジングアセンブリに固定して装着され、
前記モーターアセンブリの前記モーター駆動軸アセンブリの回転に応答して、前記駆動回転可能軸が回転するように、前記駆動回転可能軸が、前記ギヤボックスアセンブリに操作可能に結合し、
前記駆動回転可能軸が前記軸受支持体によって回転可能に支持され、
前記駆動回転可能軸が、前記専用の細断機モジュール間の前記細断機セクションの長さを通してかつそれに沿って延伸し、
前記軸受支持体が、前記ハウジングアセンブリの両側で前記ハウジングアセンブリの対面する横方向側壁に位置付けられ、
前記細断機歯が、各専用の細断機モジュール内に装着され、前記駆動回転可能軸が回転すると、前記細断機歯が回転して、前記専用の細断機モジュールの各々においてリサイクル可能材料を細断するように、前記細断機歯が前記回転可能軸上に操作可能に装着される、請求項３に記載のリサイクル器具。
【請求項１１】
紙材料細断機歯が前記専用の紙材料細断機モジュール内に操作可能に装着され、
金属材料細断機歯が前記専用の金属材料細断機モジュール内に操作可能に装着され、
プラスチック材料細断機歯が前記専用のプラスチック材料細断機モジュール内に操作可能に装着され、
ガラス材料細断機歯が前記専用のガラス材料細断機モジュール内に操作可能に装着される、請求項１０に記載のリサイクル器具。
【請求項１２】
前記細断機歯が、各々が周方向に配置された鋸状切断縁を有する、少なくとも１つ以上のディスクを含む、請求項１０に記載のリサイクル器具。
【請求項１３】
前記細断機歯が互いから離間した１組の細断刃を含み、
前記駆動回転可能軸が、前記１組の細断刃を操作可能に回転させる１組の軸を含む、請求項１０に記載のリサイクル器具。
【請求項１４】
前記有機材料投入モジュールから受容した有機廃棄物を脱水するように構成された、有機廃棄物処理ユニットをさらに備え、
前記有機廃棄物処理ユニットが、
湿潤有機廃棄物材料を受容し、
受容された前記湿潤有機廃棄物材料を処理された有機廃棄物に変換するように、構成された、請求項３に記載のリサイクル器具。
【請求項１５】
前記湿潤有機廃棄物材料を受容するように構成された有機廃棄物入口を画定し、前記処理された有機廃棄物を排出するように構成された有機廃棄物出口もまた画定する、ハウジングアセンブリと、
前記ハウジングアセンブリに操作可能に装着され、前記ハウジングアセンブリの内部に熱を生成および放出するように構成された、ヒーターアセンブリであって、前記ヒーターアセンブリによって提供される前記熱が、前記湿潤有機廃棄物材料が前記ハウジングアセンブリを通過する際に、前記湿潤有機廃棄物材料から過剰な水分を抽出するのに必要とされる量である、前記ヒーターアセンブリと、
前記ハウジングアセンブリに操作可能に装着され、前記ハウジングアセンブリ内の空気の動きの結果として、熱気流を設定するように、空気を、前記ハウジングアセンブリを通して移動させるように構成された、投入ファンユニットと、
前記ハウジングアセンブリの壁面に操作可能に装着され、前記ハウジングアセンブリの内部から暖気を排気するように構成された、排気ファンユニットと、
前記ハウジングアセンブリを通しておよびそれに沿って、前記湿潤有機廃棄物材料を運ぶように構成され、前記湿潤有機廃棄物材料を受容し、前記ハウジングアセンブリを通して前記湿潤有機廃棄物材料を運ぶように構成された、コンベヤアセンブリと、をさらに備える、請求項１４に記載のリサイクル器具。
【請求項１６】
第１のコンベヤベルトと、
第２のコンベヤベルトと、
第３のコンベヤベルトと、
第４のコンベヤベルトと、を含む、コンベヤアセンブリを含む、前記有機廃棄物処理ユニットを備え、
前記第１のコンベヤベルト、前記第２のコンベヤベルト、前記第３のコンベヤベルト、および前記第４のコンベヤベルトが、垂直方向に沿って互いに積み重なり、
前記第２のコンベヤベルトが前記第１のコンベヤベルトから離間し、
前記第３のコンベヤベルトが前記第１のコンベヤベルトから離間し、
前記第４のコンベヤベルトが前記第１のコンベヤベルトから離間する、請求項１４に記載のリサイクル器具。
【請求項１７】
それぞれの専用の排出モジュールのための専用の締固め機モジュールを含む、締固め機セクションを備える、請求項３に記載のリサイクル器具。
【請求項１８】
前記専用の締固め機モジュールが、
前記専用の有機材料排出モジュールのための専用の有機材料締固め機モジュールと、
前記専用の紙材料排出モジュールのための専用の紙材料締固め機モジュールと、
前記専用の金属材料排出モジュールのための専用の金属材料締固め機モジュールと、
前記専用のプラスチック材料排出モジュールのための専用のプラスチック材料締固め機モジュールと、
前記専用のガラス材料排出モジュールのための専用のガラス材料締固め機モジュールと、を含む、請求項１７に記載のリサイクル器具。
【請求項１９】
前記専用の締固め機モジュールの各々が、
容器と、
前記容器の上部分に操作可能に接続された蓋アセンブリと、を含み、
前記容器の内部に袋が挿入可能であり、前記袋の端部分が前記蓋アセンブリを過ぎて延伸する、請求項１７に記載のリサイクル器具。
【請求項２０】
前記専用の締固め機モジュールの各々が、
前記袋内の前記細断リサイクル可能材料の体積をさらに低減するように構成された真空パック装置を含む、請求項１７に記載のリサイクル器具。
【発明の詳細な説明】
【技術分野】
【０００１】
この文書は、家庭および／または職場等での使用のための、リサイクル器具（家庭用リサイクル器具もしくは世帯用リサイクル器具とも称される）の技術分野に関する（これに限定されない）。
【背景技術】
【０００２】
廃棄物を管理することは困難である。北アメリカを含む、世界のほとんどにおいて、消費者は通常のごみに関して２つのこと、燃やすまたは埋める、のうちのいずれかをする。どちらも環境にとって良い選択肢ではない。焼却炉でごみを燃やすと、地球温暖化の原因となる危険なガスおよび塵（微粒子状物質）を放出し、発生地から地球半周分離れた湖、森、海、および都市へと環境汚染物質（毒素）を放出する。工業国におけるほとんどの焼却炉は、粒子および汚染物質のほとんどを除去し、それによって幾分かきれいな空気を保証している。しかし大量のこれらのシステムが除去するものは、最終的に埋立地となる。埋立地は多くの理由から環境にやさしい解決策を意味しない。埋立地は毒素、浸出水、および温室効果ガスの源である。ごみを埋めることは、空気および水質汚染もまた引き起こし、単にごみを埋立地に運ぶだけでより多くの量の化石燃料を消費し、より多くの汚染および他の問題を生み出す。
【発明の概要】
【課題を解決するための手段】
【０００３】
既存のリサイクル器具に関連する少なくとも１つの問題を（少なくとも部分的に）軽減する必要性が存在することが理解される。実験を伴う、既知のシステムおよび方法の多くの研究により、問題およびその解決策の理解が特定され、以下のように明らかにされる。
【０００４】
既存のリサイクル器具に関連する少なくとも１つの問題を、少なくとも部分的に軽減するために、（主要な態様に従って）家庭用リサイクル器具が提供される。家庭用リサイクル器具は、非有機リサイクル可能材料および有機材料を処理するためのものである。家庭用リサイクル器具は、非有機リサイクル可能材料を受容、処理、および保存するように構成された、非有機処理アセンブリを含む。有機処理アセンブリは、非有機処理アセンブリから離間する。有機処理アセンブリは、有機材料を受容、処理、保存するように構成される。共通ハウジングアセンブリは、非有機処理アセンブリおよび有機処理アセンブリを収容するように構成される。
【０００５】
既存のリサイクル器具に関連する少なくとも１つの問題を、少なくとも部分的に軽減するために、（主要な態様に従って）家庭用リサイクル器具が提供される。家庭用リサイクル器具は、非有機リサイクル可能材料および有機材料を処理するためのものである。家庭用リサイクル器具は、非有機リサイクル可能材料を受容するように構成された投入セクションを含む。細断機セクションは投入セクションと連通する。細断機セクションは、投入セクションから受容した非有機リサイクル可能材料を受容および細断し、細断リサイクル可能材料を生成するように構成される。排出セクションは、排出セクションが細断機セクションから細断リサイクル可能材料を受容するように、細断機セクションと連通する。有機材料投入モジュールは有機材料を受容するように構成される。専用の有機材料排出モジュールは、専用の有機材料排出モジュールが有機材料投入モジュールから有機材料を受容するように、有機材料投入モジュールと連通する。共通ハウジングアセンブリは、投入セクションと、細断機セクションと、排出セクションと、有機材料投入モジュールと、専用の有機材料排出モジュールと、を収容するように構成される。
【０００６】
既存のリサイクル器具に関連する少なくとも１つの問題を、少なくとも部分的に軽減するために、（主要な態様に従って）家庭用リサイクル器具が提供される。家庭用リサイクル器具は、各々が所定のリサイクル可能材料を受容するように構成された、専用の投入モジュールを有する、投入セクションを含む。細断機セクションは、投入セクションのそれぞれの専用の投入モジュールと連通する専用の細断機モジュールを有する（これは、専用の細断機モジュールの各々が、それぞれの専用の投入モジュールから受容した所定のリサイクル可能材料を受容および細断し、所定の細断リサイクル可能材料を生成するようになされる）。排出セクションは、細断機セクションのそれぞれの専用の細断機モジュールと連通する専用の排出モジュールを有する（これは、専用の排出モジュールの各々が、それぞれの専用の細断機モジュールから所定の細断リサイクル可能材料を受容するようになされる）。共通ハウジングアセンブリは、投入セクションと、細断機セクションと、排出セクションと、を収容するように構成される。
【０００７】
他の態様は、請求項において特定される。
【０００８】
非限定的な実施形態の他の態様および特性は、添付の図面を伴う以下の非限定的な実施形態の以下の詳細な説明の概観において当業者にこれから明らかとなる。
【０００９】
非限定的な実施形態は、添付の図面と合わせると、非限定的な実施形態の以下の詳細な説明の参照により、より完全に理解され得る。
【図面の簡単な説明】
【００１０】
【図１Ａ】非有機リサイクル可能材料および有機材料を処理するためのリサイクル器具の実施形態の概略図を図示する。
【図１ＡＡ】非有機リサイクル可能材料および有機材料を処理するためのリサイクル器具の実施形態の概略図を図示する。
【図１Ｂ】図１Ｂのリサイクル器具の実施形態の透視図を図示する。
【図１Ｃ】図１Ａのリサイクル器具の実施形態の透視図を図示し、リサイクル器具は投入セクション、細断機セクション、および排出セクションを含む。
【図２】図１Ｃのリサイクル器具の投入セクションの実施形態の上面図を図示する。
【図３】図２のリサイクル器具の断面線Ａ−Ａを通って取られた断面図を図示する。
【図４Ａ】図３のリサイクル器具の細断機セクションおよび排出セクションの実施形態の断面図を図示する。
【図４Ｂ】図３のリサイクル器具の細断機セクションおよび排出セクションの実施形態の断面図を図示する。
【図５Ａ】図３のリサイクル器具の有機廃棄物処理ユニットの実施形態の側面図を図示する。
【図５Ｂ】図３のリサイクル器具の有機廃棄物処理ユニットの実施形態の断面図を図示する。
【図６Ａ】図１Ｃおよび図５Ａのいずれかのリサイクル器具の締固め機セクションの実施形態の概略図を図示する。
【図６Ｂ】図１Ｃおよび図５Ａのいずれかのリサイクル器具の締固め機セクションの実施形態の概略図を図示する。
【図６Ｃ】図１Ｃおよび図５Ａのいずれかのリサイクル器具の締固め機セクションの実施形態の概略図を図示する。
【図６Ｄ】図１Ｃおよび図５Ａのいずれかのリサイクル器具の締固め機セクションの実施形態の概略図を図示する。
【図６Ｅ】図１Ｃおよび図５Ａのいずれかのリサイクル器具の締固め機セクションの実施形態の概略図を図示する。
【図６Ｆ】図１Ｃおよび図５Ａのいずれかのリサイクル器具の締固め機セクションの実施形態の概略図を図示する。
【図６Ｇ】リサイクル済廃棄物のパッケージユニットの実施形態の側面図を図示する。
【発明を実施するための形態】
【００１１】
図面は、必ずしも一定の縮尺でなく、幻像線、図表示、および断片図であり得る。特定の例では、実施形態の理解に不必要な詳細（および／または認知するのが困難な他の詳細を表す詳細）は、省略され得る。
【００１２】
図面のうちのいくつかの図を通して、対応する参照文字は、対応する構成要素を示す。いくつかの図における素子は、簡素性および明確性のために図示され、一定の縮尺で表されていない。図におけるいくつかの素子の寸法は、様々な開示される実施形態の理解を容易にするために、他の素子に対して強調され得る。さらに、商業的に成り立つ実施形態において有用または必要な、一般的な、しかし広く理解される素子は、本開示の実施形態の、より閉塞されない図を提供するために、図示されないことが多い。
【００１３】
図面において使用される参照番号一覧
１００        家庭用リサイクルユニット
１０２        投入セクション
１０３Ａ      有機材料投入モジュール
１０３Ｂ      紙材料投入モジュール
１０３Ｃ      金属材料投入モジュール
１０３Ｄ      プラスチック材料投入モジュール
１０３Ｅ      ガラス材料投入モジュール
１０３        専用の投入モジュール
１０４        細断機セクション
１０５        専用の細断機モジュール
１０５Ａ      専用の紙材料細断機モジュール
１０５Ｂ      専用の金属材料細断機モジュール
１０５Ｃ      専用のプラスチック材料細断機モジュール
１０５Ｄ      専用のガラス材料細断機モジュール
１０６        排出セクション
１０７        専用の排出モジュール
１０７Ａ      専用の有機材料排出モジュール
１０７Ｂ      専用の紙材料排出モジュール
１０７Ｃ      専用の金属材料排出モジュール
１０７Ｄ      専用のプラスチック材料排出モジュール
１０７Ｅ      専用のガラス材料排出モジュール
１０８        有機廃棄物処理ユニット
１０９        専用のシュートモジュール
１０９Ａ      専用の有機材料シュートモジュール
１０９Ｂ      専用の紙材料シュートモジュール
１０９Ｃ      専用の金属材料シュートモジュール
１０９Ｄ      専用のプラスチック材料シュートモジュール
１０９Ｅ      専用のガラス材料シュートモジュール
１１０        締固め機セクション
１１１        専用の締固め機モジュール
１１１Ａ      専用の有機材料締固め機モジュール
１１１Ｂ      専用の紙材料締固め機モジュール
１１１Ｃ      専用の金属材料締固め機モジュール
１１１Ｄ      専用のプラスチック材料締固め機モジュール
１１１Ｅ      専用のガラス材料締固め機モジュール
１１３        締固め機出口
２００Ａ      専用の有機材料電源ボタン
２００Ｂ      専用の紙材料電源ボタン
２００Ｃ      専用の金属材料電源ボタン
２００Ｄ      専用のプラスチック材料電源ボタン
２００Ｅ      専用のガラス材料電源ボタン
２０２        制御回路
２０４        ユーザ制御パネル
３００        モーターアセンブリ
３０１        電源コード
３０２        モーター駆動軸アセンブリ
３０４        ギヤボックスアセンブリ
３０６Ａ      軸
３０６        駆動回転可能軸
３０８        軸受支持体
３１２Ａ      紙材料細断機歯
３１２Ｂ      金属材料細断機歯
３１２Ｃ      プラスチック材料細断機歯
３１２Ｄ      ガラス材料細断機歯
３１２        細断機歯
３１４        細断刃
４００        ハウジングアセンブリ
４０２        ヒーターアセンブリ
４０４        投入ファンユニット
４０５        熱気流
４０６Ａ      第１のコンベヤベルト
４０６Ｂ      第２のコンベヤベルト
４０６Ｃ      第３のコンベヤベルト
４０６Ｄ      第４のコンベヤベルト
４０６        コンベヤアセンブリ
４０７        排気ファンユニット
４０８        有機廃棄物入口
４１０        有機廃棄物出口
５００        容器
５０２        蓋アセンブリ
５０４        袋
５０６        押し棒
５０７        締固め力
５０８        密封装置
８００        非有機処理アセンブリ
８０２        有機処理アセンブリ
８０４        ハウジングアセンブリ
９００        リサイクル可能対象
９０２        細断材料
９０３        湿潤有機廃棄物材料
９０４        処理された有機廃棄物
９０５        非有機リサイクル可能材料
９０６        リサイクル済廃棄物
９０８        有機リサイクルごみ箱
９１０        非有機リサイクルごみ箱
９５０        非有機リサイクル可能材料
９５２        有機材料
９５４        真空パック装置
非限定的な実施形態（複数可）の詳細な説明
【００１４】
以下の詳細な説明は、単に例示的であって、記載される実施形態、または記載される実施形態の用途および使用を限定することは意図されない。使用される場合、「例示的な（ｅｘｅｍｐｌａｒｙ）」または「例示的な（ｉｌｌｕｓｔｒａｔｉｖｅ）」という語は、「実施例、例、または例示としての役割をする」という意味である。「例示的な（ｅｘｅｍｐｌａｒｙ）」または「例示的な（ｉｌｌｕｓｔｒａｔｉｖｅ）」と記載されるあらゆる実装は、他の実装よりも好ましいまたは有利であると必ずしも解釈されるべきでない。以下に記載される実装のすべては、当業者が本開示の実施形態を作製または使用することができるように提供された例示的な実装であり、本開示の範囲を限定することは意図しない。本発明の範囲は、請求項によって定義される。説明に関して、「上部」、「下部」、「左」、「後方」、「右」、「正面」、「垂直」、「水平」という用語、およびそれらの派生語は、図面において配向される実施例に関するべきである。前述の技術分野、背景技術、発明の概要、または以下の詳細な説明において表現されるまたは暗示されるいかなる理論にも束縛される意図はない。添付の図面において図示され、以下の明細書において記載される、装置および過程は、付属の請求項において定義される、例示的な実施形態（実施例）、態様、および／または概念であるということもまた理解されるべきである。したがって、開示される実施形態に関する寸法および他の物理的な特徴は、請求項が別途明確に述べない限り、限定的と考えられるべきではない。「少なくとも１つ」という句は「１つ」と同等であることが理解される。態様（実施例、変更、修正、選択肢、変形、実施形態、およびそれらのあらゆる同等物）は、図面に関して記載される。本発明は請求項によって提供される主題によって限定され、本発明は図示および記載される具体的な態様に限定されないことが理解されるべきである。
【００１５】
図１Ａおよび１ＡＡは、非有機リサイクル可能材料９５０および有機材料９５２を処理するためのリサイクル器具１００の実施形態の概略図を図示する。
【００１６】
図のすべてに従い、より具体的に図１Ａに図示される実施形態に従い、リサイクル器具１００は、非有機リサイクル可能材料９５０（ガラス、金属缶、ペットボトル、および紙製品等）ならびに有機材料９５２（食品廃棄物および／またはペット排泄物）を処理するためのものである。リサイクル器具１００は、非有機処理アセンブリ８００および有機処理アセンブリ８０２の組み合わせを含む（がこれらに限定されない）。非有機処理アセンブリ８００は、非有機リサイクル可能材料９０５を受容、処理、および保存するように構成される。有機処理アセンブリ８０２は、非有機処理アセンブリ８００から離間する。有機処理アセンブリ８０２は、有機材料９５２を受容、処理、および保存するように構成される。好ましい実施形態に従って、リサイクル器具１００は、非有機処理アセンブリ８００および有機処理アセンブリ８０２を収容（および含有）するように構成されたハウジングアセンブリ８０４を含む。
【００１７】
図１ＡＡに図示される実施形態を参照すると、リサイクル器具１００は１組のリサイクルごみ箱の上部をまたぐ配置のために構成される。例えば、有機リサイクルごみ箱９０８は（有機処理アセンブリ８０２から）有機廃棄物を受容するためのものであり、非有機リサイクルごみ箱９１０は非有機処理アセンブリ８００から非有機廃棄物（プラスチック、紙、段ボール、ガラス、およびアルミニウム等）を受容するためのものである。一実施形態に従って、リサイクル器具１００は、すべての非有機リサイクル材料を受容し、材料を処理し、細断材料を単一のリサイクルごみ箱に配置する（有機材料を排除する）ための単一の開口部を提供する。このようにして、細断材料は締固められリサイクルごみ箱内で体積が小さくなる。
【００１８】
リサイクル器具１００は、既存のリサイクルごみ箱が位置する、家庭の車庫内に位置し得るまたは位置付けられ得る。この場合、リサイクル器具１００は、既存のリサイクルごみ箱の上に設置される（リサイクル回収のために街路への素早いアクセスを可能にする）。
【００１９】
好ましい実施形態に従って、リサイクル材料がリサイクル器具１００によって受容されると、センサ（既知であり図示しない）が、リサイクル器具１００によって正しいリサイクル材料が受容されたことを示すように構成され、リサイクル器具１００は次いで、受容されたリサイクル材料を処理（細断等）するように作動し得る。例えば（これに限定されない）、リサイクル器具１００の技術的な効果は、現在のリサイクル材料収集方法を約５倍超える（リサイクルごみ箱の大きさによる）容量である。
【００２０】
図１Ｂは、図１Ｂのリサイクル器具１００の実施形態の透視図を図示する。
【００２１】
図１Ｂに図示される実施形態に従って、リサイクル器具１００は、投入セクション１０２と、細断機セクション１０４と、排出セクション１０６と、有機材料投入モジュール１０３Ａと、専用の有機材料排出モジュール１０７Ａとの組み合わせを（含むがこれに限定されない）。投入セクション１０２は、非有機リサイクル可能材料９５０を受容するように構成される。細断機セクション１０４は投入セクション１０２と連通する。細断機セクション１０４は、投入セクション１０２から受容した非有機リサイクル可能材料９５０を受容および細断し、細断リサイクル可能材料を生成するように構成される。排出セクション１０６は、排出セクション１０６が細断機セクション１０４から細断リサイクル可能材料を受容するように、細断機セクション１０４と連通する。有機材料投入モジュール１０３Ａは有機材料９５２を受容するように構成される。専用の有機材料排出モジュール１０７Ａは、有機材料投入モジュール１０３Ａと連通する（これは専用の有機材料排出モジュール１０７Ａが有機材料投入モジュール１０３Ａから有機材料９５２を受容するようになされる）。好ましい実施形態に従って、リサイクル器具１００は、投入セクション１０２と、細断機セクション１０４と、排出セクション１０６と、有機材料投入モジュール１０３Ａと、専用の有機材料排出モジュール１０７Ａと、を収容（および含有）するように構成された、ハウジングアセンブリ８０４を含む。
【００２２】
図１Ｃは、図１Ａのリサイクル器具１００の実施形態の透視図を図示し、リサイクル器具１００は、投入セクション１０２と、細断機セクション１０４と、排出セクション１０６と、を含む。
【００２３】
図１Ｃに図示される実施形態に従って、リサイクル器具１００は、投入セクション１０２と、細断機セクション１０４と、排出セクション１０６との組み合わせを含む（これに限定されない）。
【００２４】
投入セクション１０２は専用の投入モジュール１０３を有する（含む）。専用の投入モジュール１０３の各々は、リサイクル可能材料（紙、金属、プラスチック、および／またはガラス等）を受容するように構成される。
【００２５】
好ましい選択肢に従って、専用の投入モジュール１０３は、有機材料投入モジュール１０３Ａと、有機材料投入モジュール１０３Ａから離間した紙材料投入モジュール１０３Ｂと、有機材料投入モジュール１０３Ａから離間した金属材料投入モジュール１０３Ｃと、ガラス材料投入モジュール１０３Ｅから離間したプラスチック材料投入モジュール１０３Ｄと、を含む（これらに限定されない）。ハウジングアセンブリ８０４の任意のセクションは、材料（金属対象等）のリサイクルが、比較的より大きいリサイクル可能対象のために容易にされるように、ハウジングアセンブリ８０４から持ち上げられるように構成される（金属リサイクルセクション等）ことが理解される（好ましい実施形態について）。
【００２６】
細断機セクション１０４は、専用の細断機モジュール１０５を有する（含む）。専用の細断機モジュール１０５は、投入セクション１０２のそれぞれの専用の投入モジュール１０３と連通する。これは、専用の細断機モジュール１０５の各々が、それぞれの専用の投入モジュール１０３から受容した所定のリサイクル可能材料を受容および細断し、（それぞれの専用の投入モジュール１０３のための）所定の細断リサイクル可能材料を生成するようになされる。
【００２７】
好ましい実施形態に従って、専用の細断機モジュール１０５は、専用の紙材料細断機モジュール１０５Ａと、専用の金属材料細断機モジュール１０５Ｂと、専用のプラスチック材料細断機モジュール１０５Ｃと、専用のガラス材料細断機モジュール１０５Ｄと、を含む（これらに限定されない）。専用の金属材料細断機モジュール１０５Ｂは専用の紙材料細断機モジュール１０５Ａから離間する。専用のプラスチック材料細断機モジュール１０５Ｃは専用の紙材料細断機モジュール１０５Ａから離間する。専用のガラス材料細断機モジュール１０５Ｄは専用の紙材料細断機モジュール１０５Ａから離間する。専用の紙材料細断機モジュール１０５Ａは、紙材料投入モジュール１０３Ｂとの使用のためのものである（専用の使用のためのものである）。専用の金属材料細断機モジュール１０５Ｂは、金属材料投入モジュール１０３Ｃとの使用のためのものである（専用の使用のためのものである）。専用のプラスチック材料細断機モジュール１０５Ｃは、プラスチック材料投入モジュール１０３Ｄとの使用のためのものである（専用の使用のためのものである）。専用のガラス材料細断機モジュール１０５Ｄは、ガラス材料投入モジュール１０３Ｅとの使用のためのものである（専用の使用のためのものである）。
【００２８】
排出セクション１０６は、専用の排出モジュール１０７を有する（含む）。専用の排出モジュール１０７は、細断機セクション１０４のそれぞれの専用の細断機モジュール１０５と連通する。これは、専用の排出モジュール１０７の各々が、それぞれの専用の細断機モジュール１０５から所定の細断リサイクル可能材料を受容するようになされる。
【００２９】
好ましい実施形態に従って、専用の排出モジュール１０７は、専用の有機材料排出モジュール１０７Ａと、専用の紙材料排出モジュール１０７Ｂと、専用の金属材料排出モジュール１０７Ｃと、専用のプラスチック材料排出モジュール１０７Ｄと、専用のガラス材料排出モジュール１０７Ｅと、を含む（これらに限定されない）。専用の紙材料排出モジュール１０７Ｂは専用の有機材料排出モジュール１０７Ａから離間する。専用の金属材料排出モジュール１０７Ｃは専用の有機材料排出モジュール１０７Ａから離間する。専用のプラスチック材料排出モジュール１０７Ｄは専用の有機材料排出モジュール１０７Ａから離間する。専用のガラス材料排出モジュール１０７Ｅは専用の有機材料排出モジュール１０７Ａから離間する。専用の有機材料排出モジュール１０７Ａは、有機材料投入モジュール１０３Ａとの使用のためのものである（専用の使用のためのものである）。専用の紙材料排出モジュール１０７Ｂは、紙材料投入モジュール１０３Ｂとの使用のためのものである（専用の使用のためのものである）。専用の金属材料排出モジュール１０７Ｃは、金属材料投入モジュール１０３Ｃとの使用のためのものである（専用の使用のためのものである）。専用のプラスチック材料排出モジュール１０７Ｄは、プラスチック材料投入モジュール１０３Ｄとの使用のためのものである（専用の使用のためのものである）。専用のガラス材料排出モジュール１０７Ｅは、ガラス材料投入モジュール１０３Ｅとの使用のためのものである（専用の使用のためのものである）。専用の有機材料排出モジュール１０７Ａは、専用の有機材料排出モジュール１０７Ａ内に配置された、生物分解性袋（既知で図示しない）内に有機廃棄物を受容し得ることが理解される。
【００３０】
投入セクション１０２についての好ましい実施形態に従って、投入セクション１０２は専用のシュートモジュール１０９を含む。専用のシュートモジュール１０９は、投入セクション１０２の専用の投入モジュール１０３を、リサイクル器具１００の他のセクションに、操作可能に接続するように構成される。
【００３１】
好ましい実施形態に従って、専用のシュートモジュール１０９は、専用の有機材料シュートモジュール１０９Ａと、専用の紙材料シュートモジュール１０９Ｂと、専用の金属材料シュートモジュール１０９Ｃと、専用のプラスチック材料シュートモジュール１０９Ｄと、専用のガラス材料シュートモジュール１０９Ｅと、を含む（これらに限定されない）。専用の有機材料シュートモジュール１０９Ａは、有機材料投入モジュール１０３Ａを専用の有機材料排出モジュール１０７Ａに接続する。専用の紙材料シュートモジュール１０９Ｂは、紙材料投入モジュール１０３Ｂを専用の紙材料排出モジュール１０７Ｂに接続する。専用の金属材料シュートモジュール１０９Ｃは、金属材料投入モジュール１０３Ｃを専用の金属材料排出モジュール１０７Ｃに接続する。専用のプラスチック材料シュートモジュール１０９Ｄは、プラスチック材料投入モジュール１０３Ｄを専用のプラスチック材料排出モジュール１０７Ｄに接続する。専用のガラス材料シュートモジュール１０９Ｅは、ガラス材料投入モジュール１０３Ｅを専用のガラス材料排出モジュール１０７Ｅに接続する。
【００３２】
リサイクル器具１００の様々な実施形態に関連するいくつかの利益には、（Ａ）リサイクル材料を分別することによって、リサイクル材料のより低い処理費用が達成され得、それによってリサイクル済原材料の価格を低下させること、ならびに／または（Ｂ）リサイクル材料を細断することによって、細断材料のより少ない空間（より少ない体積）で、（家庭もしくは会社の道端にて）リサイクル材料の収集の回数が少なくて済むことが挙げられ得る。
【００３３】
リサイクル器具１００が家庭および／または会社で使用され得ることが理解される。
【００３４】
図２は、図１Ｃのリサイクル器具１００の投入セクション１０２の実施形態の上面図を図示する。
【００３５】
図２に図示される実施形態に従って、投入セクション１０２は、専用の有機材料電源ボタン２００Ａと、専用の紙材料電源ボタン２００Ｂと、専用の金属材料電源ボタン２００Ｃと、専用のプラスチック材料電源ボタン２００Ｄと、専用のガラス材料電源ボタン２００Ｅと、を含む。専用の有機材料電源ボタン２００Ａは、有機材料投入モジュール１０３Ａ（図５Ａに図示される実施形態を伴う）のためのものである。専用の紙材料電源ボタン２００Ｂは、紙材料投入モジュール１０３Ｂのためのものである。専用の金属材料電源ボタン２００Ｃは、金属材料投入モジュール１０３Ｃのためのものである。専用のプラスチック材料電源ボタン２００Ｄは、プラスチック材料投入モジュール１０３Ｄのためのものである。専用のガラス材料電源ボタン２００Ｅは、ガラス材料投入モジュール１０３Ｅのためのものである。
【００３６】
専用の有機材料電源ボタン２００Ａは、有機材料投入モジュール１０３Ａに関連する動作を開始させるように構成される。専用の有機材料電源ボタン２００Ａは、有機材料投入モジュール１０３Ａに関連するシステムが活動的に動作しているという視覚ユーザ表示を提供するように構成された、ランプアナンシエーターを含み得る。
【００３７】
専用の紙材料電源ボタン２００Ｂは、紙材料投入モジュール１０３Ｂに関連する動作を開始させるように構成される。専用の紙材料電源ボタン２００Ｂは、紙材料投入モジュール１０３Ｂに関連するシステムが活動的に動作しているという視覚ユーザ表示を提供するように構成された、ランプアナンシエーターを含み得る。
【００３８】
専用の金属材料電源ボタン２００Ｃは、金属材料投入モジュール１０３Ｃに関連する動作を開始させるように構成される。専用の金属材料電源ボタン２００Ｃは、金属材料投入モジュール１０３Ｃに関連するシステムが活動的に動作しているという視覚ユーザ表示を提供するように構成された、ランプアナンシエーターを含み得る。
【００３９】
専用のプラスチック材料電源ボタン２００Ｄは、プラスチック材料投入モジュール１０３Ｄに関連する動作を開始させるように構成される。専用のプラスチック材料電源ボタン２００Ｄは、プラスチック材料投入モジュール１０３Ｄに関連するシステムが活動的に動作しているという視覚ユーザ表示を提供するように構成された、ランプアナンシエーターを含み得る。
【００４０】
専用のガラス材料電源ボタン２００Ｅは、ガラス材料投入モジュール１０３Ｅに関連する動作を開始させるように構成される。専用のガラス材料電源ボタン２００Ｅは、ガラス材料投入モジュール１０３Ｅに関連するシステムが活動的に動作しているという視覚ユーザ表示を提供するように構成された、ランプアナンシエーターを含み得る。
【００４１】
好ましい実施形態に従って、投入セクション１０２は制御回路２０２を含む。制御回路２０２は、リサイクル器具１００の動力アセンブリ（システム）の動作を制御するように構成される。投入セクション１０２は、制御回路２０２に操作可能に接続されたユーザ制御パネル２０４もまた含む。ユーザ制御パネル２０４は、キーパッドおよび画面ユニットを含む。ユーザ制御パネル２０４は、リサイクル器具１００の動力アセンブリ（システム等）の制御された動作において、ユーザを補助するように構成される。
【００４２】
図３は、図２のリサイクル器具１００の断面線Ａ−Ａを通って取られた断面図を図示する。
【００４３】
図３に図示される実施形態に従って、細断機セクション１０４は、モーターアセンブリ３００と、電源コード３０１と、モーター駆動軸アセンブリ３０２と、ギヤボックスアセンブリ３０４と、駆動回転可能軸３０６と、軸受支持体３０８と、ハウジングアセンブリ８０４と、を含む。ハウジングアセンブリ８０４は、モーターアセンブリ３００を収容するように構成される。モーターアセンブリ３００は、ハウジングアセンブリ８０４の内部セクションに固定して装着される。モーターアセンブリ３００は、ハウジングアセンブリ８０４内で垂直方向に位置付けられる。電源コード３０１はモーターアセンブリ３００から延伸する。電源コード３０１は、（モーターアセンブリ３００を駆動するために）モーターアセンブリ３００に電力を供給するように構成される。モーター駆動軸アセンブリ３０２は、モーターアセンブリ３００から（上方向に）延伸する。モーター駆動軸アセンブリ３０２は、ギヤボックスアセンブリ３０４に操作可能に連結する。ギヤボックスアセンブリ３０４は、ハウジングアセンブリ８０４に固定して装着される。駆動回転可能軸３０６は、ギヤボックスアセンブリ３０４に操作可能に連結する（これはモーターアセンブリ３００のモーター駆動軸アセンブリ３０２の回転に反応して、駆動回転可能軸３０６が回転するようになされる）。駆動回転可能軸３０６は、軸受支持体３０８によって回転可能に支持される。駆動回転可能軸３０６は、共通軸と称され得る。駆動回転可能軸３０６は、専用の細断機モジュール１０５の間の、細断機セクション１０４の長さを通してかつそれに沿って延伸する。軸受支持体３０８は、ハウジングアセンブリ８０４の両側で（ハウジングアセンブリ８０４の対面する横方向側壁に）位置付けられる。専用の細断機モジュール１０５の各々の細断機歯は、駆動回転可能軸３０６に操作可能に装着される（これは、駆動回転可能軸３０６が回転すると、細断機歯が回転してリサイクル可能材料を細断するようになされる）。材料は専用の細断機モジュール１０５の各々において細断される。
【００４４】
好ましい実施形態に従って、制御回路２０２は、（Ａ）投入セクション１０２内に配置されたリサイクル可能材料を（センサでまたはセンサを用いずに）認知するように、および（Ｂ）材料をうまく細断し、細断材料を異なるコンパートメント（排出セクション１０６に位置付けられる）に分別するのに必要とされる、細断機ナイフ（細断機歯とも称される）の速度において（投入セクション１０２内に配置された）異なる材料のための異なるリサイクル処理プログラムを実行（動作または稼働）させるように、構成される。
【００４５】
好ましい実施形態に従って、紙材料細断機歯３１２Ａは、専用の紙材料細断機モジュール１０５Ａ内に操作可能に装着される。金属材料細断機歯３１２Ｂは、専用の金属材料細断機モジュール１０５Ｂ内に操作可能に装着される。プラスチック材料細断機歯３１２Ｃは、専用のプラスチック材料細断機モジュール１０５Ｃ内に操作可能に装着される。ガラス材料細断機歯３１２Ｄは、専用のガラス材料細断機モジュール１０５Ｄ内に操作可能に装着される。各専用の細断機モジュール１０５（専用の紙材料細断機モジュール１０５Ａ、専用の金属材料細断機モジュール１０５Ｂ、専用のプラスチック材料細断機モジュール１０５Ｃ、専用のガラス材料細断機モジュール１０５Ｄ等）は、リサイクル材料がガラス、アルミニウム、プラスチック、紙／段ボール等を含むかどうか等の、処理（細断）されるリサイクル材料の種類に応じて、（必要とされ得る場合）構造および／または配置が異なり得ることが理解され得る。
【００４６】
一実施形態に従って、関連する専用のコンパートメントを伴う、専用の開口部（ガラス、金属、アルミニウム、紙、およびプラスチック等のための専用の開口部）がある。一実施形態に従って、リサイクル器具１００は、有機廃棄物分解ユニット（既知であり図示しない）を含む。
【００４７】
図４Ａおよび４Ｂは、図３のリサイクル器具１００の細断機セクション１０４および排出セクション１０６の実施形態の断面線Ｂ−Ｂを通って取られた断面図を図示する。
【００４８】
図４Ａに図示される実施形態に従って、リサイクル可能対象９００（紙）が専用の紙材料細断機モジュール１０５Ａによって細断されるところである。リサイクル可能対象９００は、紙材料投入モジュール１０３Ｂを介して投入セクション１０２に挿入され、リサイクル可能対象９００は、専用の紙材料シュートモジュール１０９Ｂを通って細断機セクション１０４の専用の金属材料細断機モジュール１０５Ｂに移動する。細断機歯３１２は、各々が周方向に配置された鋸状切断縁を有する、少なくとも１つ以上のディスクを含む。ディスクは、駆動回転可能軸３０６に操作可能に装着される。金属材料細断機歯３１２Ｂは、（駆動回転可能軸３０６の回転に反応して）リサイクル可能対象９００を比較的より小さい断片に細断するように構成される。専用の金属材料細断機モジュール１０５Ｂの排出物（細断材料９０２）は、次いで排出セクション１０６の専用の紙材料排出モジュール１０７Ｂに（重力送りを介して）移動する（動く）。細断材料９０２は、リサイクル可能対象９００の処理と接続して、リサイクル器具１００によって形成される。
【００４９】
図４Ｂに図示される実施形態に従って、紙材料細断機歯３１２Ａは、互いから離間する１組の細断刃３１４（４つの刃の組）を含む。駆動回転可能軸３０６は、細断刃の組３１４を操作可能に回転させる、１組の軸３０６Ａを含む。細断機歯（細断ナイフとも称される）は、細断機歯（細断機ディスク）に十分な量のトルク力がかけられると、材料を細断するのに、十分強いように構成される。一実施形態に従って、細断刃３１４の互いの間の幅は制御可能（調整可能）であり、所望の場合は、異なる材料が収容され得る（細断目的で）。例えば、細断刃３１４の第１の列（上部列）は、細断刃３１４の第２の列（下部列）よりも遠くに離間し得る（材料をより徹底的に細断し、それによって比較的より小さい体積のリサイクル可能材料が作られるように）。
【００５０】
図５Ａおよび５Ｂは、図３のリサイクル器具１００の有機廃棄物処理ユニット１０８の実施形態の、断面線Ｂ−Ｂを通って取られた（それぞれ）断面図および側面図を図示する。
【００５１】
図５Ａに図示される実施形態に従って、リサイクル器具１００は有機廃棄物処理ユニット１０８をさらに含む。有機廃棄物処理ユニット１０８は、有機材料投入モジュール１０３Ａから受容した有機廃棄物を脱水するように構成される。有機廃棄物処理ユニット１０８は、（Ａ）湿潤有機廃棄物材料９０３（生物分解性有機廃棄物とも称される）を受容するように、および（Ｂ）（受容された）湿潤有機廃棄物材料９０３を処理された有機廃棄物９０４に変換するように、構成される。有機廃棄物処理ユニット１０８は、有機廃棄物処理ユニット１０８の内部の内部周期的清掃を容易にするように構成されることが（好ましい実施形態について）理解される。
【００５２】
図５Ｂに図示される実施形態に従って、有機廃棄物処理ユニット１０８は、ハウジングアセンブリ４００と、ヒーターアセンブリ４０２（加熱ランプ等）と、投入ファンユニット４０４と、排気ファンユニット４０７と、コンベヤアセンブリ４０６と、を含む。ヒーターアセンブリ４０２（加熱ランプ等）は、ハウジングアセンブリ４００に（好ましくはハウジングアセンブリ４００の上部分に）操作可能に（固定して）装着される。ヒーターアセンブリ４０２は、ハウジングアセンブリ４００の内部に熱を生成および放出するように構成される。ヒーターアセンブリ４０２によって提供される熱は、湿潤有機廃棄物材料９０３がハウジングアセンブリ４００を通過する際に、湿潤有機廃棄物材料９０３から過剰な水分（水）を抽出するのに必要とされる量である。コンベヤアセンブリ４０６は、ハウジングアセンブリ４００を通しておよびそれに沿って、湿潤有機廃棄物材料９０３を運ぶように構成される。投入ファンユニット４０４は、ハウジングアセンブリ４００に（好ましくはハウジングアセンブリ４００の側壁セクションに）操作可能に装着される。投入ファンユニット４０４は、ハウジングアセンブリ４００内の空気の動きの結果として、熱気流４０５を設定するように、空気を、ハウジングアセンブリ４００を通して移動させるように構成される。排気ファンユニット４０７は、ハウジングアセンブリ４００の側壁に操作可能に装着される。排気ファンユニット４０７は、ハウジングアセンブリ４００の内部から暖気を排気するように構成される（ハウジングアセンブリ４００の内部温度が高くなりすぎた場合に）。コンベヤアセンブリ４０６は、湿潤有機廃棄物材料９０３を受容し、湿潤有機廃棄物材料９０３を、ハウジングアセンブリ４００を通して（迂回経路に沿って）運ぶように構成される。好ましい実施形態に従って、コンベヤアセンブリ４０６は、第１のコンベヤベルト４０６Ａと、第２のコンベヤベルト４０６Ｂと、第３のコンベヤベルト４０６Ｃと、第４のコンベヤベルト４０６Ｄと、を含む。第１のコンベヤベルト４０６Ａ、第２のコンベヤベルト４０６Ｂ、第３のコンベヤベルト４０６Ｃ、および第４のコンベヤベルト４０６Ｄは、垂直方向に沿って互いに積み重なる。第２のコンベヤベルト４０６Ｂは、第１のコンベヤベルト４０６Ａから離間する。第３のコンベヤベルト４０６Ｃは、第１のコンベヤベルト４０６Ａから離間する。第４のコンベヤベルト４０６Ｄは、第１のコンベヤベルト４０６Ａから離間する。ハウジングアセンブリ４００は、湿潤有機廃棄物材料９０３を受容するように構成された、有機廃棄物入口４０８を画定する。ハウジングアセンブリ４００は、処理された有機廃棄物９０４を排出するように構成された、有機廃棄物出口４１０を画定する。一実施形態に従って、コンベヤアセンブリ４０６は、継ぎ目なしのステンレス鉄すべり止めプラスチックモジュラーベルトコンベヤ（食品処理に適している）を含む。
【００５３】
図５Ｂに図示される実施形態に従って、ハウジングアセンブリ４００は、異なる種類の有機廃棄物のための異なる種類の脱水機を含む。いくつかの脱水機は、加熱ランプによって提供される熱を含み、いくつかの脱水機は、ファンによって提供される暖気または２つの加熱源の組み合わせを含む。ハウジングアセンブリ４００の目的は、有機廃棄物を脱水することによって、有機廃棄物を扱うまたは処理することである。この配置は、いくつかの利益（においの低減、道端からリサイクル材料を収集する時間の延長等）をもたらす。さらに、有機廃棄物が（乾燥堆肥へと）適度に乾燥すると、乾燥堆肥は再度湿らせられ、家庭の庭の泥と混合される（土壌を改良するため）。
【００５４】
ハウジングアセンブリ４００は、（有機廃棄物がより良好に管理され得るように）有機廃棄物を脱水するように構成される。脱水した有機廃棄物は、病原性微生物が顕著により少ないまたは無であり、それによって道端での有機廃棄物（食品廃棄物、台所廃棄物、ハーブ残留物、果物および野菜廃棄物、葉、魚、肉、青野菜、シリアル、ならびに／または骨等）の収集の、延伸したまたは延長した時間を容易にする。
【００５５】
図６Ａ〜６Ｆは、図１Ｃおよび図５Ａのいずれかのリサイクル器具１００の締固め機セクション１１０の実施形態の概略図を図示する。
【００５６】
図６Ａに図示される実施形態に従って、リサイクル器具１００は締固め機セクション１１０をさらに含む。締固め機セクション１１０は、締固め機および密封セクションと称され得る。締固め機セクション１１０は、それぞれの専用の排出モジュール１０７のための専用の締固め機モジュール１１１を含む。各専用の締固め機モジュール１１１は締固め機出口１１３を有する（提供する）。
【００５７】
好ましい実施形態に従って、専用の締固め機モジュール１１１は、専用の有機材料締固め機モジュール１１１Ａと、専用の紙材料締固め機モジュール１１１Ｂと、専用の金属材料締固め機モジュール１１１Ｃと、専用のプラスチック材料締固め機モジュール１１１Ｄと、専用のガラス材料締固め機モジュール１１１Ｅと、を含む。専用の紙材料締固め機モジュール１１１Ｂは、専用の有機材料締固め機モジュール１１１Ａから離間する。専用の金属材料締固め機モジュール１１１Ｃは、専用の有機材料締固め機モジュール１１１Ａから離間する。専用のプラスチック材料締固め機モジュール１１１Ｄは、専用の有機材料締固め機モジュール１１１Ａから離間する。専用のガラス材料締固め機モジュール１１１Ｅは、専用の有機材料締固め機モジュール１１１Ａから離間する。専用の有機材料締固め機モジュール１１１Ａは、専用の有機材料排出モジュール１０７Ａとの使用のためのものである（専用の使用のためのものである）。専用の紙材料締固め機モジュール１１１Ｂは、専用の紙材料排出モジュール１０７Ｂとの使用のためのものである（専用の使用のためのものである）。専用の金属材料締固め機モジュール１１１Ｃは、専用の金属材料排出モジュール１０７Ｃとの使用のためのものである（専用の使用のためのものである）。専用のプラスチック材料締固め機モジュール１１１Ｄは、専用のプラスチック材料排出モジュール１０７Ｄとの使用のためのものである（専用の使用のためのものである）。専用のガラス材料締固め機モジュール１１１Ｅは、専用のガラス材料排出モジュール１０７Ｅとの使用のためのものである（専用の使用のためのものである）。好ましい選択肢に従って、色分けされた袋が締固め機セクション１１０において配備され得る。
【００５８】
図６Ｂに図示される実施形態に従って、専用の締固め機モジュール１１１は、容器５００と、容器５００の上部分に操作可能に接続された（枢動可能に取り付けられた）蓋アセンブリ５０２と、を含む。蓋アセンブリ５０２は開口状態に位置する。
【００５９】
図６Ｃに図示される実施形態に従って、袋５０４が容器５００の内部に挿入され、袋５０４の端部分が蓋アセンブリ５０２を過ぎて延伸する。
【００６０】
図６Ｄに図示される実施形態に従って、リサイクル器具１００は、袋５０４がそれぞれの排出セクション１０６から（専用の有機材料排出モジュール１０７Ａ、専用の紙材料排出モジュール１０７Ｂ、専用の金属材料排出モジュール１０７Ｃ、専用のプラスチック材料排出モジュール１０７Ｄ、または専用のガラス材料排出モジュール１０７Ｅ等から）、リサイクル済廃棄物９０６を受容するように、動作する。
【００６１】
図６Ｅに図示される実施形態に従って、専用の締固め機モジュール１１１は、押し棒５０６および密封装置５０８をさらに含む。袋５０４が満たされると、蓋アセンブリ５０２は閉鎖される（つまり蓋が袋５０４に触れるように、閉鎖位置に配置される）。押し棒５０６は、蓋アセンブリ５０２を押す（それによって締固め力５０７を蓋アセンブリ５０２に送り、容器５００内に保持される袋５０４の内容物を締め固める）ように作動するように構成される。一実施形態に従って、真空パック装置９５４は、袋５０４内の細断リサイクル可能材料の体積をさらに低減するように配備される（所望の場合）。このようにして、袋５０４は道端でのリサイクル済材料の回収まで（車庫内等で）貯蔵され得る。
【００６２】
図６Ｆに図示される実施形態に従って、蓋アセンブリ５０２は、袋５０４が容器５００の内部から除去され得るように、開口状態に配置される。
【００６３】
図６Ｇは、図６Ａの締固め機セクション１１０によって提供される（そこから排出される）リサイクル済廃棄物９０６（単一の種類のリサイクル済材料を有する）のパッケージユニットの実施形態の側面図を図示する。
【００６４】
図６Ｇに図示される実施形態に従って、袋５０４は指定のリサイクル回収日の回収のための道端配置に用意ができた状態で、場所（車庫等）に保管され得る。
【００６５】
この記載された説明は、最良の態様を含み、本発明を開示するために、および任意の当業者が本発明を作製および使用できるように、実施例を使用する。本発明の特許申請可能な範囲は請求項によって定義され、当業者に考えられる他の例も含み得る。それらが請求項の文字通りの言語と異ならない構造的素子を有する場合、またはそれらが請求項の文字通りの言語からごくわずかな違いを有する同等の構造的素子を含む場合、かかる他の例は請求項の範囲内である。
【００６６】
上記のアセンブリおよびモジュールは、各々および一つ一つを明白な用語で記載する必要なく、かかる組み合わせおよび変形をなすために、当業者の範囲内で所望の機能および課題を実行するために必要とされる場合、互いに接続され得ることが理解され得る。特定のアセンブリまたは構成要素が、当業者に入手可能な任意の等価物よりも優れ得ることはない。機能が実施される限り、開示される主題を実践する特定の態様が他よりも優れるということはない。開示される主題のすべての決定的態様は、本書類において提供されると考えられる。本発明の範囲は、独立請求項（複数可）によって提供される範囲に限定されることが理解され、本発明の範囲は、（ｉ）従属請求項、（ｉｉ）非限定的な実施形態の詳細な説明、（ｉｉｉ）発明の概要、（ｉｖ）要約、ならびに／または（ｖ）本書類の外（つまり、出願、請求、および／もしくは特許付与される現在の出願の外）で提供される説明に限定されないこともまた理解される。本書類に関して、「含む」という文言は「備える」という語と同等であることが理解される。前述の内容は非限定的な実施形態（実施例）を概説する。説明は特定の非限定的な実施形態（実施例）のためになされる。非限定的な実施形態は例として単に例示的であることが理解される。
【図１Ａ】
2018511471.tif 000003
【図１ＡＡ】
2018511471.tif 000004
【図１Ｂ】
2018511471.tif 000005
【図１Ｃ】
2018511471.tif 000006
【図２】
2018511471.tif 000007
【図３】
2018511471.tif 000008
【図４Ａ】
2018511471.tif 000009
【図４Ｂ】
2018511471.tif 000010
【図５Ａ】
2018511471.tif 000011
【図５Ｂ】
2018511471.tif 000012
【図６Ａ】
2018511471.tif 000013
【図６Ｂ】
2018511471.tif 000014
【図６Ｃ】
2018511471.tif 000015
【図６Ｄ】
2018511471.tif 000016
【図６Ｅ】
2018511471.tif 000017
【図６Ｆ】
2018511471.tif 000018
【図６Ｇ】
2018511471.tif 000019
【国際調査報告】
2018511471.tif 000020
2018511471.tif 000021